(57)【特許請求の範囲】
【請求項１】
機器により収集されたデータをサーバに送信する複数の第１無線端末、及び、第１無線端末以外の第２無線端末と通信する基地局と、
データ通信を制御するゲートウェイと、
シグナリング通信を制御する呼処理制御装置と
を備え、
前記基地局、前記呼処理制御装置及び前記ゲートウェイの少なくともいずれかは、
サービス開始要求を受信すると、該サービス開始要求が前記第１無線端末からの要求であるか判断し、該第１無線端末からの要求である場合、前記第１無線端末に対するシグナリング通信及び／又はデータ通信に使用するセッション識別子を、前記複数の第１無線端末に共通して割り当てる無線通信システム。
【請求項２】
前記基地局、前記呼処理制御装置及び前記ゲートウェイの少なくともいずれかは、
前記第１無線端末をグループ化するためのグループ化単位情報が予め記憶されたグループ化単位情報記憶領域
を有し、
サービス開始要求が前記第１無線端末からの要求である場合、前記グループ化単位記憶領域を参照してグループ化単位情報を特定し、サービス開始要求内の該グループ化単位情報に対応する情報が同じ複数の第１無線端末で構成されるグループに対し、共通するセッション識別子を割り当てる請求項１に記載の無線通信システム。
【請求項３】
前記グループ化単位情報は、前記第１無線端末が利用するサービス識別子、該第１無線端末を使用する事業者識別子、該第１無線端末が属する国番号、該第１無線端末の通信方式を示す方式識別子、該第１無線端末が接続する前記サーバのＩＰアドレス、該第１無線端末が属するセル識別子のいずれかを含み、
前記第１無線端末からのサービス開始要求内の、グループ化単位情報に対応する情報が同じ第１無線端末を、グループ化する請求項２に記載の無線通信システム。
【請求項４】
前記第１無線端末は、Ｍ２Ｍ端末である請求項１に記載の無線通信システム。
【請求項５】
前記基地局、前記呼処理制御装置及び前記ゲートウェイの少なくともいずれかは、前記グループに対しシグナリング用セッション識別子を割り当てる請求項２に記載の無線通信システム。
【請求項６】
前記基地局及び前記ゲートウェイの少なくともいずれかは、前記グループに対しデータ通信用セッション識別子を割り当てる請求項２に記載の無線通信システム。
【請求項７】
前記呼処理制御装置及び前記ゲートウェイは、異なる基地局に属する前記第１無線端末について、基地局への下り方向は基地局毎に異なる下り用セッション識別子を割り当て、前記基地局からの上り方向は共通の上り用セッション識別子を割り当てる請求項１に記載の無線通信システム。
【請求項８】
前記グループ化単位情報は、管理装置から前記基地局、前記呼処理制御装置及び前記ゲートウェイに設定される請求項２に記載の無線通信システム。
【請求項９】
グループ化された複数の前記第１無線端末に対して、共有するセッション内で該複数の第１無線端末の通信開始タイミングが重ならないように、各第１無線端末の通信開始タイミングをスケジューリングするスケジューリングサーバ
をさらに備え、
複数の第１無線端末はそれぞれ、該スケジューリング結果を受信して、スケジューリング結果に従い通信を開始する請求項２に記載の無線通信システム。
【請求項１０】
機器により収集されたデータをサーバに送信する複数の第１無線端末、及び、第１無線端末以外の第２無線端末と通信する基地局と、
基地局とデータ通信を行うゲートウェイと、
基地局及びゲートウェイとのシグナリング通信を行う呼処理制御装置と
を備えた無線通信システムにおけるセッション共有化方法であって、
基地局、呼処理制御装置及びゲートウェイの少なくともいずれかは、
サービス開始要求を受信すると、該サービス開始要求が第１無線端末からの要求であるか判断し、該第１無線端末からの要求である場合、第１無線端末に対するシグナリング通信及び／又はデータ通信に使用するセッション識別子を、複数の第１無線端末に共通して割り当てるセッション共有化方法。
【発明の詳細な説明】
【技術分野】
【０００１】
本発明は、無線通信システム及びセッション共有化方法に係り、特に、複数の無線通信端末のセッションを共有化し、及び、複数の無線通信端末が無線通信システムにアクセスしたことによる負荷を軽減する無線通信システム及びセッション共有化方法に関する。
【背景技術】
【０００２】
無線通信システムには、通信手段を人対人だけでなく物対物を対象としたＭ２Ｍ（Ｍａｃｈｉｎｅ  ｔｏ  Ｍａｃｈｉｎｅ）と呼ばれる通信形態がある。Ｍ２Ｍと呼ばれる通信形態は、例えば、自動販売機に無線端末を付加し商品の在庫状況や売れた商品を管理装置にレポートしたり、無線通信機能を備えるスマートメータ(電気・ガス・水道の検針など)が電気・ガス・水道の使用量を管理装置に通知したり、交通・流通サービスにおける車の渋滞状況や商品の発送状況を通知するといった用途がある。Ｍ２Ｍと呼ばれる通信形態が使用するネットワークは、携帯電話で使用する無線通信ネットワークがある。無線通信ネットワークを使用すれば、自動販売機のような移動しないＭ２Ｍで使用される無線端末（Ｍ２Ｍ端末）だけでなく、車や配達物といった移動するＭ２Ｍ端末の管理情報をいつでもどこでも管理装置向けに送信することができる。
無線通信システムは、携帯電話端末とＭ２Ｍ端末と基地局と呼処理制御装置とゲートウェイとＯＡＭ装置とインターネット網に位置するサーバとを含む。携帯電話端末とＭ２Ｍ端末と基地局は無線で通信を行う。基地局と呼処理制御装置とゲートウェイとＯＡＭ装置は有線にてメッシュ状で接続される。呼処理制御装置は、どのＭ２Ｍ端末が現在どの基地局配下にいるのかを管理しており、ゲートウェイと基地局間を接続するための呼制御をおこなっている。ゲートウェイは、基地局とインターネット網に位置するサーバと接続されており、Ｍ２Ｍ端末とインターネット網に位置するサーバとのデータの送受信を行う。
無線通信システムでは、Ｍ２Ｍ端末や携帯電話端末がデータ通信や音声通話を行うために呼処理制御装置やゲートウェイ装置に自身の呼情報を登録する必要がある。無線端末は、無線通信サービスを開始するための初期の接続処理として、全無線端末でユニークな加入者識別子を呼処理制御装置に基地局を介して送信する。呼処理制御装置やゲートウェイは、受信した加入者識別子へのサービス提供が可能であると判断した場合に、自身のノード内で当該無線端末を管理するためのセッション識別子を発行する。以降、呼処理制御装置とゲートウェイは、発行したセッション識別子で無線端末を管理することとなる。無線端末が送信してきた加入者識別子は全無線端末でユニークとなる重要な個人情報で、通信を行うたびに基地局を介して呼処理制御装置に送信することはセキュリティ上危険であるため、無線端末はサービス開始のための初期接続でのみ加入者識別子を送信する。
【先行技術文献】
【特許文献】
【０００３】
【特許文献１】特開２００９−２０６８０５号公報
【非特許文献】
【０００４】
【非特許文献１】３ＧＰＰ(３ｒｄ ｇｅｎｅｒａｔｉｏｎ ｐａｒｔｎｅｒｓｈｉｐｓ) ３ＧＰＰ ＴＳ２２．３６８ Ｖ１１．２．０
【非特許文献２】３ＧＰＰ(３ｒｄ ｇｅｎｅｒａｔｉｏｎ ｐａｒｔｎｅｒｓｈｉｐｓ) ３ＧＰＰ ＴＳ２３．４０１ Ｖ１０．４．０
【発明の概要】
【発明が解決しようとする課題】
【０００５】
Ｍ２Ｍ端末は、使用用途が多岐にわたり、多数のＭ２Ｍ端末が無線通信ネットワーク上で利用される。多数のＭ２Ｍ端末が一斉に無線通信ネットワークに接続してきた場合、同じ無線通信ネットワークを利用している携帯電話端末が通信できなくなるという課題がある。たとえば、無線通信ネットワーク上で多数のＭ２Ｍ端末が一斉に通信を開始すると、携帯電話が使用する周波数帯域を圧迫し、通信に十分な周波数帯域を確保できなくなり、データの送受信ができなくなる。また、基地局や呼処理制御装置やゲートウェイ装置といった各種通信機器で管理されているセッション識別子が枯渇することによって携帯電話端末からの新規呼が無線通信ネットワークに接続できなくなるという課題があった。
非特許文献１では、Ｍ２Ｍ端末が無線通信システムを利用するときサービスイメージと、Ｍ２Ｍ端末が無線通信システムでどのようにふるまうのかの要求仕様を規定している。非特許文献１では、Ｍ２Ｍ端末がサーバと無線通信システムを介して通信するか、Ｍ２Ｍ端末同士が無線通信システムを介して通信する場合に、ネットワーク装置がＭ２Ｍ端末からの接続を制限したり、シグナリング通信とデータ通信のピークを減少させる手段が必要であるという要求仕様を規定している。非特許物件１の要求仕様に対して、非特許文献２では、多数のＭ２Ｍ端末が無線通信システムに接続してきたときに、基地局が一時的にＭ２Ｍ端末からの接続を拒否・制限する方法が規定されている。
特許文献1では、各無線端末による単位時間当たりのトラヒックを平滑化し、一定以上のトラヒックが無線通信ネットワーク上に流れないように制御している。しかしながら、単位時間当たりのトラヒックを平滑化しても、無線通信ネットワーク上に多数のＭ２Ｍ端末が接続してきた場合、呼処理制御装置やゲートウェイが管理するセッション識別子が枯渇し、携帯電話ユーザが新規に接続できなくなるという課題を解決するための方法は示されていない。
上述のように、多数のＭ２Ｍ端末が無線通信ネットワークにアクセスしてきた場合、基地局と呼処理制御装置とゲートウェイで管理するセッション識別子が枯渇するという課題があった。また、多数のＭ２Ｍ端末がシグナリング通信やデータ通信を一斉に行うと、無線通信システムに一時的に多量のトラヒックが発生し、他の無線端末の通信に影響与えるという課題があった。
本発明は、以上の点に鑑み、複数のＭ２Ｍ端末が無線通信ネットワークにアクセスした場合に、他の無線端末の通信に与える影響を低減することを目的とする。また、本発明は、基地局と呼処理制御装置とゲートウェイで管理するセッション識別子が枯渇することを防ぐことを目的のひとつとする。
【課題を解決するための手段】
【０００６】
本発明は、多数のＭ２Ｍ端末が無線通信ネットワークにアクセスしてきたときに、基地局と呼処理制御装置とゲートウェイが管理するセッション識別子の増加を抑える方法と、多数のＭ２Ｍ端末が行うシグナリング通信とデータ通信を一斉に開始しない方法を提供する。
Ｍ２Ｍ端末は、無線通信システムを利用する場合、基地局と呼処理制御装置とゲートウェイに対して初期接続処理を開始する。初期接続処理では、Ｍ２Ｍ端末は、サービスを示す識別子と事業者を示す識別子と無線通信ネットワークを使用する国を示す識別子と接続先のサーバを示すＩＰアドレスと現在位置を示す識別子とを含むＭ２Ｍ管理情報と、自身がＭ２Ｍ端末であることを示すＭ２Ｍ端末識別子とを呼処理制御装置とゲートウェイに送信する。呼処理制御装置とゲートウェイは、Ｍ２Ｍ端末が接続してきた場合に、Ｍ２Ｍ端末による発信や着信といったシグナリング通信を管理するためのシグナリング通信用セッション識別子と、インターネット網に位置するサーバとＭ２Ｍ端末とのデータの送受信を管理するためのデータ通信用セッション識別子とを割り当てる。新たなＭ２Ｍ端末が呼処理制御装置とゲートウェイにアクセスしてきた場合、呼処理制御装置とゲートウェイは、Ｍ２Ｍ端末が送信してきたＭ２Ｍ管理情報を確認する。基地局と呼処理制御装置とゲートウェイは、Ｍ２Ｍ端末が送信してきたＭ２Ｍ管理情報に含まれるサービスを示す識別子と事業者を示す識別子と無線通信ネットワークを使用する国を示す識別子と接続先のサーバを示すＩＰアドレスと現在位置を示す識別子のうち、他に同じＭ２Ｍ管理情報をもつＭ２Ｍ端末が存在するのかどうかを確認する。同じＭ２Ｍ管理情報をもつＭ２Ｍ端末が複数存在した場合、基地局と呼処理制御装置とゲートウェイは、新規にシグナリング通信用セッション識別子とデータ通信用セッション識別子とを新たに割り当てずに、以前Ｍ２Ｍ端末向けに割り当てたシグナリング通信用セッション識別子とデータ通信用セッション識別子を使う。
呼処理制御装置とゲートウェイは、シグナリング通信用セッション識別子とデータ通信用セッション識別子とを複数のＭ２Ｍ端末で共有することによってＭ２Ｍ端末グループを形成する。呼処理制御装置とゲートウェイは、１つのＭ２Ｍ端末グループに対してそれぞれ１つのシグナリング通信用セッション識別子とデータ通信用セッション識別子とを使用する。同じグループに属する複数のＭ２Ｍ端末で同じシグナリング通信用セッション識別子とデータ通信用セッション識別子とを使用するため、シグナリング通信用セッション識別子数とデータ通信用セッション識別子数の増加を低減することができる。
Ｍ２Ｍ端末がサーバとデータ通信を行う場合やＭ２Ｍ端末が基地局と呼処理制御装置とゲートウェイとシグナリング通信を行う場合、呼処理制御装置とゲートウェイは、１つのＭ２Ｍ端末グループでそれぞれ1つのシグナリング通信用セッション識別子とデータ通信用セッション識別子で管理しているため、複数のＭ２Ｍ端末からのシグナリング通信やデータ通信を行う場合、複数のＭ２Ｍ端末で１つのシグナリング通信用セッションとデータ通信用セッションを共有することとなる。インターネット網に位置するサーバは、グループ化された複数のＭ２Ｍ端末が、それぞれ１つのシグナリング通信用セッションとデータ通信用セッションに対して、一斉にシグナリング通信およびデータ通信を開始することを防ぐために、発信およびデータ通信を開始するタイミングをＭ２Ｍ端末ごとにずらしたスケジュール情報をＭ２Ｍ端末グループに送信する。サーバは、スケジュール情報をスケジューリングサーバから入手する。スケジューリングサーバは、Ｍ２Ｍ端末がどのタイミングでデータ通信およびシグナリング通信を開始するかのスケジュール情報を設定し管理する。Ｍ２Ｍ端末はサーバによって配信された当該スケジュール情報に従って発信およびデータ通信を開始する。
【０００７】
本発明の第１の解決手段によると、
機器により収集されたデータをサーバに送信する複数の第１無線端末、及び、第１無線端末以外の第２無線端末と通信する基地局と、
データ通信を制御するゲートウェイと、
シグナリング通信を制御する呼処理制御装置と
を備え、
前記基地局、前記呼処理制御装置及び前記ゲートウェイの少なくともいずれかは、
サービス開始要求を受信すると、該サービス開始要求が前記第１無線端末からの要求であるか判断し、該第１無線端末からの要求である場合、前記第１無線端末に対するシグナリング通信及び／又はデータ通信に使用するセッション識別子を、前記複数の第１無線端末に共通して割り当てる無線通信システムが提供される。
本発明の第２の解決手段によると、
機器により収集されたデータをサーバに送信する複数の第１無線端末、及び、第１無線端末以外の第２無線端末と通信する基地局と、
基地局とデータ通信を行うゲートウェイと、
基地局及びゲートウェイとのシグナリング通信を行う呼処理制御装置と
を備えた無線通信システムにおけるセッション共有化方法であって、
基地局、呼処理制御装置及びゲートウェイの少なくともいずれかは、
サービス開始要求を受信すると、該サービス開始要求が第１無線端末からの要求であるか判断し、該第１無線端末からの要求である場合、第１無線端末に対するシグナリング通信及び／又はデータ通信に使用するセッション識別子を、複数の第１無線端末に共通して割り当てるセッション共有化方法が提供される。
【発明の効果】
【０００８】
本発明によると、複数のＭ２Ｍ端末が無線通信ネットワークにアクセスした場合に、他の無線端末の通信に与える影響を低減することができる。また、本発明は、基地局と呼処理制御装置とゲートウェイで管理するセッション識別子が枯渇することを防ぐことができる。
【図面の簡単な説明】
【０００９】
【図１】複数のＭ２Ｍ端末が無線通信システムに接続するときの無線通信システムのシステム構成図を示した図である。
【図２】Ｍ２Ｍ端末の構成を示すブロック図である。
【図３】基地局の構成を示すブロック図である。
【図４】呼処理制御装置の構成を示すブロック図である。
【図５】ゲートウェイの構成を示すブロック図である。
【図６】サーバの構成を示すブロック図である。
【図７−１】複数のＭ２Ｍ端末が基地局と呼処理制御装置とゲートウェイによってグループ化される処理を示したシーケンス図（１）である。
【図７−２】複数のＭ２Ｍ端末が基地局と呼処理制御装置とゲートウェイによってグループ化される処理を示したシーケンス図（２）である。
【図８】Ｍ２Ｍ端末の管理情報データベースの情報要素を示した図である。
【図９−１】基地局の基地局情報データベースの情報要素と、シグナリング通信用セッション識別子データベースと、データ通信用セッション識別子データベースとの初期状態における情報要素を示した図である。
【図９−２】基地局のグループ化単位情報データベースの初期状態における情報要素を示した図である。
【図１０】呼処理制御装置のＭ２Ｍ管理情報データベースと、基地局情報データベースと、シグナリング通信用セッション識別子と、グループ化単位情報データベースの初期状態における情報要素を示した図である。
【図１１】ゲートウェイのＭ２Ｍ管理情報データベースと、シグナリング通信用セッション識別子と、データ通信用セッション識別子と、グループ化単位情報データベースの初期状態における情報要素を示した図である。
【図１２】ＯＡＭ装置が基地局と呼処理制御装置とゲートウェイのグループ化単位情報データベースの情報要素を設定した後の該データベースの図である。
【図１３】Ｍ２Ｍ端末Ａが無線通信システムに接続した後の基地局と呼処理制御装置とゲートウェイのＭ２Ｍ管理情報データベースの情報要素を示した図である。
【図１４】Ｍ２Ｍ端末Ａがシグナリング通信を行うためのシグナリング通信用セッション識別子の情報要素を示した図である。
【図１５】Ｍ２Ｍ端末Ａがデータ通信を行うためのデータ通信用セッション識別子の情報要素を示した図である。
【図１６】Ｍ２Ｍ端末Ｂが無線通信システムに接続した後の基地局と呼処理制御装置とゲートウェイのＭ２Ｍ管理情報データベースの情報要素を示した図である。
【図１７】Ｍ２Ｍ端末Ｂがシグナリング通信を行うためのシグナリング通信用セッション識別子データベースの情報要素を示した図である。
【図１８】Ｍ２Ｍ端末Ｂがデータ通信を行うためのデータ通信用セッション識別子の情報要素を示した図である。
【図１９−１】Ｍ２Ｍ端末Ｃが無線通信システムに接続した後の基地局と呼処理制御装置のＭ２Ｍ管理情報データベースの情報要素を示した図である。
【図１９−２】Ｍ２Ｍ端末Ｃが無線通信システムに接続した後のゲートウェイのＭ２Ｍ管理情報データベースの情報要素を示した図である。
【図２０】Ｍ２Ｍ端末Ｃがシグナリング通信を行うためのシグナリング通信用セッション識別子の情報要素を示した図である。
【図２１】Ｍ２Ｍ端末Ｃがデータ通信を行うためのデータ通信用セッション識別子の情報要素を示した図である。
【図２２】Ｍ２Ｍ端末ＡとＭ２Ｍ端末ＢとＭ２Ｍ端末Ｃとがそれぞれ保持するスケジュール情報を示した図である。
【図２３】保守者によってサーバに設定されたＭ２Ｍ端末ＡとＭ２Ｍ端末ＢとＭ２Ｍ端末Ｃに対するスケジュール情報を示した図である。
【図２４】Ｍ２Ｍ端末ＡとＭ２Ｍ端末ＢとＭ２Ｍ端末Ｃとがサーバからの指示によってスケジュール情報を更新した後の情報要素を示した図である。
【発明を実施するための形態】
【００１０】
以下、本発明の実施の形態について、図面を参照して詳細に説明する。
図１は、本実施の形態の無線通信システム１０７の構成を示す図である。
本実施例ではＭ２Ｍ端末１００を例に説明するが、Ｍ２Ｍ端末１００でなくても無線通信システム１０７を利用する無線端末で有れば同様の処理を行うことが可能である。なお、Ｍ２Ｍ端末は、規格によってはＭＴＣ端末や他の名称で称される場合もある。例えば、Ｍ２Ｍ端末は、例えば、機器により収集されたデータをサーバに送信する端末である。また、Ｍ２Ｍ端末は、例えば自端末が備える測定部、データ集計部等の機器により得られたデータを無線通信システムを介してサーバに通知する端末である。なお、自端末以外の適宜の測定部により測定されたデータを入力して、サーバに通知する装置でもよい。
無線通信システム１０７は、複数のＭ２Ｍ端末１００（第１無線端末）（Ｍ２Ｍ端末Ａ１００−１、Ｍ２Ｍ端末Ｂ１００−２、Ｍ２Ｍ端末Ｃ１００−３）と、複数の基地局１０１（基地局Ａ１０１−１、基地局Ｂ１０１−２、基地局Ｃ１０１−３）と、呼処理制御装置１０２と、ゲートウェイ１０３と、サーバ１０４と、ＯＡＭ装置（管理装置）１０５とスケジューリングサーバ１０６を備える。なお、各装置はひとつに限らず適宜の単位で複数備えられてもよい。また、基地局１０１は、Ｍ２Ｍ端末１００以外にの無線端末（第２無線端末、例えば携帯電話端末等）とも通信する。Ｍ２Ｍ端末Ａ１００−１と基地局Ａ１０１−１は無線で通信を行う。Ｍ２Ｍ端末Ｂ１００−２と基地局Ｂ１０１−２は無線で通信を行う。Ｍ２Ｍ端末Ｃ１００−３と基地局Ｃ１０１−３は無線で通信を行う。基地局Ａ１０１−１、基地局Ｂ１０１−２、基地局Ｃ１０１−３と呼処理制御装置１０２とゲートウェイ１０３とＯＡＭ装置１０５は有線にてメッシュ状で接続される。ゲートウェイ１０３は、サーバ１０４と例えば有線にて接続される。サーバ１０４は、スケジューリングサーバ１０６と例えば有線にて接続される。Ｍ２Ｍ端末Ａ１００−１と、Ｍ２Ｍ端末Ｂ１００−２と、Ｍ２Ｍ端末Ｃ１００−３は、基地局Ａ１０１−１、基地局Ｂ１０１−２、基地局Ｃ１０１−３およびゲートウェイ１０３を介してサーバ１０４との間でデータの送受信を行う。例えば、Ｍ２Ｍ端末１００は、収集対象のデータをサーバ１０４に定期的又は不定期に送信する。スケジューリングサーバ１０６は、例えば同一グループに所属するＭ２Ｍ端末１００がシグナリング通信およびデータ通信を開始するタイミングが重ならないようにスケジューリングする。サーバ１０４は、Ｍ２Ｍ端末１００がどのタイミングでデータ通信およびシグナリング通信を開始するかのスケジュール情報をスケジューリングサーバ１０６から入手するための通信を行う。
【００１１】
ＯＡＭ装置１０５を操作する保守者は、複数のＭ２Ｍ端末１００が無線通信システム１０７に接続したとき、どのような単位でＭ２Ｍ端末１００をグループ化するのかの情報要素（以降、グループ化単位情報）を基地局Ａ１０１−１、基地局Ｂ１０１−２、基地局Ｃ１０１−３と呼処理制御装置１０２とゲートウェイ１０３に設定する。例えば、ＯＡＭ装置１０５は、基地局Ａ１０１−１、基地局Ｂ１０１−２、基地局Ｃ１０１−３と呼処理制御装置１０２とゲートウェイ１０３がＭ２Ｍ端末１００をサービス識別子単位、事業者単位、国単位、方式単位、ＩＰアドレス単位、在圏基地局単位でグループ化するように指示を出すためにグループ化単位情報を送信する。
Ｍ２Ｍ端末１００は、通常の携帯電話ではなくＭ２Ｍ端末であることを示すＭ２Ｍ端末識別子と、サービス種別を示すサービス識別子と、事業者種別を示す事業者識別子と、国を示す国番号と、無線通信方式を示す方式識別子と、Ｍ２Ｍ端末１００がデータ通信を行うサーバ１０４のＩＰアドレスを示す接続先サーバＩＰアドレスとを持っている。Ｍ２Ｍ端末１００が無線通信システム１０７に接続したとき、Ｍ２Ｍ端末１００は、基地局１０１を介して呼処理制御装置１０２とゲートウェイ１０３にＭ２Ｍ端末識別子と、サービス識別子と、事業者識別子と、国番号と、方式識別子と、接続先サーバＩＰアドレスとを通知する。これらの情報は、上述のグループ化単位情報と対応してもよい。基地局１０１は、当該Ｍ２Ｍ端末１００が在圏していることを示すために在圏基地局識別子を呼処理制御装置１０２とゲートウェイ１０３に通知する。
基地局１０１と呼処理制御装置１０２とゲートウェイ１０３は、複数のＭ２Ｍ端末１００をどのような単位でグループ化するのかを示すグループ化単位情報を参照する。例えば、サービス識別子単位でＭ２Ｍ端末をグループ化するように指示された場合、基地局１０１と呼処理制御装置１０２とゲートウェイ１０３は、Ｍ２Ｍ端末１００によって送信されたサービス識別子が、過去に無線通信システム１０７に接続した他のＭ２Ｍ端末１００と同じであれば、同じグループとして管理する。基地局１０１と呼処理制御装置１０２とゲートウェイ１０３は、同じグループとして管理された複数のＭ２Ｍ端末１００に対して、発着信や位置登録といったシグナリング通信を行うためのセッション情報（以降、シグナリング通信用セッション識別子）と、データ通信を行うためのセッション情報（以降、データ通信用セッション識別子）とに同じ値を設定しセッションを共有する。基地局１０１と呼処理制御装置１０２とゲートウェイ１０３は、ＯＡＭ装置１０５から事業者単位、国単位、方式単位、ＩＰアドレス単位、在圏基地局単位のいずれかでグループ化するように指示された場合、および、サービス識別子単位、事業者単位、国単位、方式単位、ＩＰアドレス単位、在圏基地局単位のうち複数の組み合わせで同時に指示された場合も同様の処理を行う。
【００１２】
本実施例では、サービス識別子と、事業者識別子と、国番号と、方式識別子と、接続先サーバＩＰアドレスと、在圏基地局識別子に限定して説明するが、これら以外でもよく、Ｍ２Ｍ端末１００をグループ化可能な識別子であれば同様の処理が可能である。
基地局１０１と呼処理制御装置１０２とゲートウェイ１０３によってセッションを共有化された同じグループに所属する複数のＭ２Ｍ端末１００は、発着信や位置登録といったシグナリング通信とサーバ１０４とのデータ通信をそれぞれ共通のシグナリング通信用セッション識別子と共通のデータ通信用セッション識別子で行う。同じグループに所属する複数のＭ２Ｍ端末１００がデータ通信を開始するための発信を一斉に開始した場合、基地局１０１と呼処理制御装置１０２とゲートウェイ１０３に対してシグナリング通信が多量に発生する。また、同じグループに所属する複数のＭ２Ｍ端末１００からデータ通信を一斉に開始した場合、基地局１０１とゲートウェイ１０３において、無線区間とネットワーク区間で多量のデータパケットが送信される。基地局１０１と呼処理制御装置１０２とゲートウェイ１０３に多量のシグナリングやデータパケットが送信されるとシグナリングのコリジョン（衝突）やデータ通信量の輻輳が発生し、正常にシグナリング通信やデータ通信ができなくなる場合がある。無線区間とネットワーク区間での輻輳やコリジョンを防ぐために、サーバ１０４は、同じグループに所属する複数のＭ２Ｍ端末１００がどの順番でいつシグナリング通信とデータ通信を行うのかのスケジュール情報をスケジューリングサーバから入手する。サーバ１０４は、入手したスケジュール情報をＭ２Ｍ端末１００に送信する。同じグループに所属する複数のＭ２Ｍ端末１００は、サーバ１０４から送信されたスケジュール情報に従いシグナリング通信やデータ通信を行う。
図２は、Ｍ２Ｍ端末１００の構成を示すブロック図である。Ｍ２Ｍ端末１００は、例えば、送受信アンテナ２００と、アンテナ２００に接続された無線アナログ部２０１と、無線アナログ部２０１と接続されたデジタル信号処理部２０２と、デジタル信号処理部２０２と接続された呼処理部２０３とを備えている。
【００１３】
ここで、無線アナログ部２０１は、アンテナ２００を介して受信した基地局１０１からのアナログ信号をデジタル信号に変換し、デジタル信号処理部２０２に出力する。また、無線アナログ部２０１は、デジタル信号処理部２０２から受信したデジタル信号をアナログ信号に変換し、アンテナ２００を介して基地局１０１に送信する。デジタル信号処理部２０２は、無線アナログ部２０１からの信号の復調や基地局１０１への信号の変調を行う。呼処理部２０３は、プロセッサ２１０と、プロセッサ２１０が実行するプログラム等を格納するメモリ２１１と、Ｍ２Ｍ端末１００の管理情報の情報要素を格納したＭ２Ｍ管理情報データベース２１２と、Ｍ２Ｍ端末１００がシグナリング通信とデータ通信を開始するタイミングを示したスケジュール情報を格納するスケジュール情報データベース２１３とを備えている。
Ｍ２Ｍ端末１００は、例えば、無線通信サービス開始要求を基地局１０１を介して呼処理制御装置１０２とゲートウェイ１０３へ送信する機能と、サーバ１０４からスケジュール情報を受信した場合にスケジュール情報データベース２１３に登録されているスケジュール情報を更新する機能と、スケジュール情報データベース２１３に登録されているスケジュール情報に従ってシグナリング通信とデータ通信を行う機能とを有する。これらの各機能は、例えば、プロセッサ２１０がメモリ２１１に記憶された適宜のプログラムを実行することで実現できる。他の各装置の機能についても同様である。
図３は、基地局１０１の構成を示すブロック図である。基地局１０１は、アンテナ３００と、アンテナ３００の各々に接続された無線アナログ部３０１と、これら無線アナログ部３０１と接続されたデジタル信号処理部３０２と、デジタル信号処理部３０２と接続された呼処理部３０４と、呼処理部３０４と接続された回線インタフェース部３０３とを備えている。回線インタフェース部３０３は、呼処理制御装置１０２と、ゲートウェイ１０３と、ＯＡＭ装置１０５とも接続されている。
ここで、無線アナログ部３０１は、アンテナ３００を介して受信したＭ２Ｍ端末１００からのアナログ信号をデジタル信号に変換し、デジタル信号処理部３０２に出力する。また、無線アナログ部３０１は、デジタル信号処理部３０２から受信したデジタル信号をアナログ信号に変換し、アンテナ３００を介してＭ２Ｍ端末１００に送信する。デジタル信号処理部３０２は、無線アナログ部３０１からの信号の復調やＭ２Ｍ端末１００への信号の変調を行う。呼処理部３０４は、プロセッサ３１０と、プロセッサ３１０が実行するプログラム等を格納するメモリ３１１と、基地局１０１のセル識別子を格納する基地局情報データベース３１２と、Ｍ２Ｍ端末１００に対するシグナリング通信を行うために使用するシグナリング通信用セッション識別子を格納するシグナリング通信用セッション識別子データベース３１３と、基地局１０１がＭ２Ｍ端末１００からのデータをゲートウェイ１０３に送信するために使用するデータ通信用セッション識別子を格納するデータ通信用セッション識別子データベース３１４と、グループ化単位情報データベース（グループ化単位情報記憶領域）３１５と、Ｍ２Ｍ端末１００の管理情報の情報要素を格納したＭ２Ｍ管理情報データベース３１６とを備えている。
【００１４】
基地局１０１は、例えば、Ｍ２Ｍ端末１００から無線通信サービス開始要求を受信後に無線通信サービス開始を許可し、呼処理制御装置１０２へ無線通信サービス開始要求を送信する機能と、呼処理制御装置１０２から受信した無線通信サービス開始許可（許可通知）をＭ２Ｍ端末１００へ送信する機能と、Ｍ２Ｍ端末１００に対するシグナリング通信を行うために使用するシグナリング通信用セッション識別子を割り振る機能と、自身が割り振ったシグナリング通信用セッション識別子を呼処理制御装置１０２に送信する機能と、Ｍ２Ｍ端末１００に対するデータ通信を行うために使用するデータ通信用セッション識別子を割り振る機能と、自身が割り振ったデータ通信用セッション識別子をゲートウェイ１０３に送信する機能と、Ｍ２Ｍ端末１００から送信される上りデータをゲートウェイ１０３に転送する機能と、ゲートウェイ１０３から送信されるＭ２Ｍ端末１００向けの下りデータをＭ２Ｍ端末１００へ送信する機能と、ＯＡＭ装置１０５からグループ化単位情報を受信した場合にグループ化情報データベースの設定値を変更する機能と、複数のＭ２Ｍ端末１００をグループ化すると判定した場合にグループ化された複数のＭ２Ｍ端末１００を同じシグナリング通信用セッション識別子とデータ通信用セッション識別子とで管理し制御する機能とを備えている。
図４は、呼処理制御装置１０２の構成を示すブロック図である。呼処理制御装置１０２は、基地局１０１とゲートウェイ１０３とＯＡＭ装置１０５と接続された回線インタフェース部４００と、回線インタフェース部４００と接続された呼処理部４０１とを備えている。
ここで、呼処理部４０１は、プロセッサ４１０と、プロセッサ４１０が実行するプログラム等を格納するメモリ４１１と、Ｍ２Ｍ端末１００から受信したＭ２Ｍ端末管理情報の情報要素を格納したＭ２Ｍ管理情報データベース４１２と、基地局１０１のセル識別子を格納する基地局情報データベース４１３と、Ｍ２Ｍ端末１００に対するシグナリング通信を行うために使用するシグナリング通信用セッション識別子を格納するシグナリング通信用セッション識別子データベース４１４と、Ｍ２Ｍ端末１００をどのような単位でグループ化するのかの情報を格納するグループ化単位情報データベース（グループ化単位情報記憶領域）４１５とを備えている。
呼処理制御装置１０２は、例えば、Ｍ２Ｍ端末１００が基地局１０１を介して送信する無線通信サービス開始要求受信後に無線通信サービス開始を許可し、無線通信サービス開始要求をゲートウェイ１０３に送信する機能と、ゲートウェイ１０３から受信した無線通信サービス開始許可を基地局１０１に送信する機能と、Ｍ２Ｍ端末１００に対するシグナリング通信を行うために使用するシグナリング通信用セッション識別子を割り振る機能と、自身が割り振ったシグナリング通信用セッション識別子を基地局１０１とゲートウェイ１０３に送信する機能と、ＯＡＭ装置１０５からグループ化単位情報を受信した場合にグループ化情報データベースの設定値を変更する機能と、複数のＭ２Ｍ端末１００をグループ化すると判定した場合にグループ化された複数のＭ２Ｍ端末１００を同じシグナリング通信用セッション識別子で管理し制御する機能とを備えている。
図５は、ゲートウェイ１０３の構成を示すブロック図である。ゲートウェイ１０３は、基地局１０１と呼処理制御装置１０２とゲートウェイ１０３と接続された回線インタフェース部５００と、回線インタフェース部５００と接続された呼処理部５０１とを備えている。
ここで、呼処理部５０１は、プロセッサ５１０と、プロセッサ５１０が実行するプログラム等を格納するメモリ５１１と、Ｍ２Ｍ端末１００から受信したＭ２Ｍ端末管理情報の情報要素を格納したＭ２Ｍ管理情報データベース５１２と、Ｍ２Ｍ端末１００に対するシグナリング通信を行うために使用するシグナリング通信用セッション識別子を格納するシグナリング通信用セッション識別子データベース５１３と、Ｍ２Ｍ端末１００に対するデータ通信を行うために使用するデータ通信用セッション識別子を格納するデータ通信用セッション識別子データベース５１４と、Ｍ２Ｍ端末１００をどのような単位でグループ化するのかの情報を格納するグループ化単位情報データベース（グループ化単位情報記憶領域）５１５とを備える。
【００１５】
ゲートウェイ１０３は、例えば、Ｍ２Ｍ端末１００から基地局１０１と呼処理制御装置１０２を介して無線通信サービス開始要求を受信した後に無線通信サービス開始を許可し、呼処理制御装置１０２に無線通信サービス開始許可を送信する機能と、Ｍ２Ｍ端末１００に対するシグナリング通信を行うために使用するシグナリング通信用セッション識別子を割り振る機能と、自身が割り振ったシグナリング通信用セッション識別子を呼処理制御装置１０２に送信する機能と、Ｍ２Ｍ端末１００に対するデータ通信を行うために使用するデータ通信用セッション識別子を割り振る機能と、自身が割り振ったデータ通信用セッション識別子を基地局１０１に送信する機能と、Ｍ２Ｍ端末１００から基地局１０１を介して送信される上りデータをサーバ１０４に転送する機能と、サーバ１０４から送信されるＭ２Ｍ端末１００向けの下りデータを基地局１０１を介してＭ２Ｍ端末１００へ送信する機能と、ＯＡＭ装置１０５からグループ化単位情報を受信した場合にグループ化情報データベースの設定値を変更する機能と、複数のＭ２Ｍ端末１００をグループ化すると判定した場合にグループ化された複数のＭ２Ｍ端末１００を同じシグナリング通信用セッション識別子とデータ通信用セッション識別子とで管理し制御する機能とを備えている。
本実施の形態では、上述のように、シグナリング通信用セッション識別子及びデータ通信用セッション識別子は、各装置で割り振られて対向する装置に送信される。従って、対向する２つの装置間でセッション識別子は上りと下りに対応するふたつの識別子が存在する。後述するように、上りと下りのセッションＩＤの一方又は双方が共有される。
【００１６】
図６は、サーバ１０４の構成を示すブロック図である。サーバ１０４は、ゲートウェイ１０３と接続された回線インタフェース部６００と、回線インタフェース部６００と接続された制御部６０１とを備えている。
ここで、制御部６０１は、プロセッサ６１０と、プロセッサ６１０が実行するプログラム等を格納するメモリ６１１と、Ｍ２Ｍ端末１００がシグナリング通信とデータ通信を開始するタイミングを示したスケジュール情報を格納するスケジュール情報データベース６１２とを備えている。
サーバ１０４は、例えば、Ｍ２Ｍ端末１００とデータの送受信を行う機能と、スケジューリングサーバ１０６によって設定されたＭ２Ｍ端末１００がシグナリング通信とデータ通信を開始するタイミングを示したスケジュール情報をＭ２Ｍ端末１００に送信する機能とを備えている。
図７−１と図７−２は、複数のＭ２Ｍ端末１００がグループ化される処理を示したシーケンス図である。図７−１と図７−２のシーケンス図の説明を、図８〜図２４のデータベースの情報要素の説明と併せて行う。
図８〜図１１は、本実施の形態を説明するのに使用するＭ２Ｍ端末１００と基地局１０１と呼処理制御装置１０２とゲートウェイ１０３の各データベースの構成と初期の情報要素の例を示した図である。
図８は、Ｍ２Ｍ端末のＭ２Ｍ管理情報データベース２１２を示す。Ｍ２Ｍ端末のＭ２Ｍ管理情報データベース２１２は、Ｍ２Ｍ端末１００が管理する端末や通信に関する情報を記憶する。例えば、Ｍ２Ｍ端末１００のＭ２Ｍ管理情報データベース２１２は、Ｍ２Ｍ端末識別子と、サービス識別子、事業者識別子、国番号、方式識別子、及び、接続先サーバＩＰアドレスを記憶する。各情報については上述の通りであるが、より具体的に説明すると、Ｍ２Ｍ端末識別子は、Ｍ２Ｍ端末１００を識別するための適宜の識別子である。サービス識別子は、例えば、水道メータ等の測定データ収集、自動販売機の売り上げデータ収集などＭ２Ｍ端末に関連するサービスを識別する識別子である。事業者識別子は、例えばＭ２Ｍ端末１００を用いてサービスを提供する又はサービスを受ける事業者の識別子である。国番号は、Ｍ２Ｍ端末１００の属する国を示す。方式識別子は、例えばＧＰＲＳ（Ｇｅｎｅｒａｌ  Ｐａｃｋｅｔ  Ｒａｄｉｏ  Ｓｅｒｖｉｃｅ）などの通信方式を示す。接続先サーバＩＰアドレスは、Ｍ２Ｍ端末１００が接続するサーバ１０４のＩＰアドレスである。
【００１７】
初期状態の例として、図８（ａ）のＭ２Ｍ端末Ａ１００−１のＭ２Ｍ管理情報データベース２１２において、Ｍ２Ｍ端末識別子にはＭ２Ｍ１が、サービス識別子にはａｂｃ．ｎｅｔが、事業者識別子には９９９が、国番号には４４０が、方式識別子にはｇｐｒｓが、接続先サーバＩＰアドレスにはＡ．Ｂ．Ｃ．Ｄが設定されている。
図８（ｂ）のＭ２Ｍ端末Ｂ１００−２のＭ２Ｍ管理情報データベース２１２において、Ｍ２Ｍ端末識別子にはＭ２Ｍ２が、サービス識別子にはａｂｃ．ｎｅｔが、事業者識別子には９９９が、国番号には４４０が、方式識別子にはｇｐｒｓが、接続先サーバＩＰアドレスにはＡ．Ｂ．Ｃ．Ｄが設定されている。
図８（ｃ）のＭ２Ｍ端末Ｃ１００−３のＭ２Ｍ管理情報データベース２１２において、Ｍ２Ｍ端末識別子にはＭ２Ｍ３が、サービス識別子にはｘｙｚ．ｎｅｔが、事業者識別子には８８８が、国番号には４４０が、方式識別子にはｇｐｒｓが、接続先サーバＩＰアドレスにはＥ．Ｆ．Ｇ．Ｈが設定されている。
図９−１、図９−２は、基地局１０１のデータベースを示す。
図９−１（ａ）〜（ｃ）は、基地局１０１の基地局情報データベース３１２を示す。基地局１０１の基地局情報データベース３１２は、例えば、自基地局のセルを識別するセル識別子を記憶する。図示の例では、ひとつの基地局に対しセルがひとつであるが、ひとつの基地局に対し複数のセルがあってもよい。
図９−１（ｄ）〜（ｆ）は、基地局１０１のシグナリング通信用セッション識別子データベース３１３を示す。基地局１０１のシグナリング通信用セッション識別子データベース３１３は、例えば、自基地局が用いるシグナリング通信用セッション識別子を記憶する。
図９−１（ｇ）〜（ｉ）は、基地局１０１のデータ通信用セッション識別子データベース３１４を示す。基地局１０１のデータ通信用セッション識別子データベース３１４は、例えば、自基地局が用いるデータ通信用セッション識別子を記憶する。
図９−２（ｊ）〜（ｌ）は、基地局１０１のグループ化単位情報データベース３１５を示す。なお、図９−２は、図９−１との関連で便宜上（ｉ）から記載している。基地局１０１のグループ化単位情報データベース３１５は、グループ化される単位を記憶する。例えば、予め定められたグループ化単位候補ごとに、そのグループ化単位でグループ化するか否かを示す選択情報（ＯＮ／ＯＦＦ）が記憶される。本実施の形態では、グループ化単位候補として、サービス識別子、事業者識別子、国番号、方式識別子、接続サーバＩＰアドレス、セル識別子等を用いるが、これ以外にもＭ２Ｍ端末が用いるセッションＩＤの数を減らす適宜の単位でもよい。例えば、端末の情報、ネットワークの情報、無線リソースの情報、場所に関する情報、アクセスしてきた時間などの時間に関する情報に基づく単位で、複数のＭ２Ｍ端末をグループ化してもよい。
初期状態の例として、図９−１（ａ）の基地局Ａ１０１−１の基地局情報データベース３１２にはセル識別子としてＣｅｌｌ１が設定されている。図９−１（ｂ）の基地局Ｂ１０１−２の基地局情報データベース３１２にはセル識別子としてＣｅｌｌ２が設定されている。図９−１（ｃ）の基地局Ｃ１０１−３の基地局情報データベース３１２にはセル識別子としてＣｅｌｌ３が設定されている。
図９−１（ｄ）の基地局Ａ１０１−１のシグナリング通信用セッション識別子データベース３１３には、Ｍ２Ｍ端末１００が無線通信システム１０７へ未接続のため、シグナリング通信用セッション識別子としてＮＵＬＬが設定されている。
図９−１（ｅ）の基地局Ｂ１０１−２のシグナリング通信用セッション識別子データベース３１３には、Ｍ２Ｍ端末１００が無線通信システム１０７へ未接続のため、シグナリング通信用セッション識別子としてＮＵＬＬが設定されている。
図９−１（ｆ）の基地局Ｃ１０１−３のシグナリング通信用セッション識別子データベース３１３には、Ｍ２Ｍ端末１００が無線通信システム１０７へ未接続のため、シグナリング通信用セッション識別子としてＮＵＬＬが設定されている。
図９−１（ｇ）の基地局Ａ１０１−１のデータ通信用セッション識別子データベース３１４には、Ｍ２Ｍ端末１００が無線通信システム１０７へ未接続のため、データ通信用セッション識別子としてＮＵＬＬが設定されている。
図９−１（ｈ）の基地局Ｂ１０１−２のデータ通信用セッション識別子データベース３１４には、Ｍ２Ｍ端末１００が無線通信システム１０７へ未接続のため、データ通信用セッション識別子としてＮＵＬＬが設定されている。
図９−１（ｉ）の基地局Ｃ１０１−３のデータ通信用セッション識別子データベース３１４には、Ｍ２Ｍ端末１００が無線通信システム１０７へ未接続のため、データ通信用セッション識別子としてＮＵＬＬが設定されている。
図９−２（ｊ）の基地局Ａ１０１−１のグループ化単位情報データベース３１５には、ＯＡＭ装置１０５からグループ化単位情報を設定されていないため、サービス識別子単位でグループ化の欄にはＯＦＦが、事業者識別子単位でグループ化の欄にはＯＦＦが、国番号単位でグループ化の欄にはＯＦＦが、方式識別子単位でグループ化の欄にはＯＦＦが、接続先サーバＩＰアドレス単位でグループ化の欄にはＯＦＦが、セル識別子でグループ化の欄にはＯＦＦが設定されている。
図９−２（ｋ）の基地局Ｂ１０１−２のグループ化単位情報データベース３１５には、ＯＡＭ装置１０５からグループ化単位情報を設定されていないため、サービス識別子単位でグループ化の欄にはＯＦＦが、事業者識別子単位でグループ化の欄にはＯＦＦが、国番号単位でグループ化の欄にはＯＦＦが、方式識別子単位でグループ化の欄にはＯＦＦが、接続先サーバＩＰアドレス単位でグループ化の欄にはＯＦＦが、セル識別子でグループ化の欄にはＯＦＦが設定されている。
図９−２（ｌ）の基地局Ｃ１０１−３のグループ化単位情報データベース３１５には、ＯＡＭ装置１０５からグループ化単位情報を設定されていないため、サービス識別子単位でグループ化の欄にはＯＦＦが、事業者識別子単位でグループ化の欄にはＯＦＦが、国番号単位でグループ化の欄にはＯＦＦが、方式識別子単位でグループ化の欄にはＯＦＦが、接続先サーバＩＰアドレス単位でグループ化の欄にはＯＦＦが、セル識別子でグループ化の欄にはＯＦＦが設定されている。
【００１８】
図１０は、呼処理制御装置１０２のデータベースを示す。
図１０（ａ）は、呼処理制御装置１０２のＭ２Ｍ管理情報データベース４１２を示す。呼処理制御装置１０２のＭ２Ｍ管理情報データベース４１２は、Ｍ２Ｍ端末１００のＭ２Ｍ管理情報が、Ｍ２Ｍ端末１００毎に記憶される。
図１０（ｂ）は、呼処理制御装置１０２の基地局情報データベース４１３を示す。呼処理制御装置１０２の基地局情報データベース４１３は、基地局１０１毎のセル識別子が記憶される。
図１０（ｃ）は、呼処理制御装置１０２のシグナリング通信用セッション識別子データベース４１４を示す。呼処理制御装置１０２のシグナリング通信用セッション識別子データベース４１４は、基地局１０１向けシグナリング通信用セッション識別子と、ゲートウェイ１０３向けシグナリング通信用セッション識別子とを記憶する。
図１０（ｄ）は、呼処理制御装置１０２のグループ化単位情報データベース４１５を示す。グループ化単位情報データベース４１５については、図９−２（ｊ）−（ｌ）に示す基地局のグループ化単位情報データベース３１５と同様である。
初期状態の例として、図１０（ａ）の呼処理制御装置１０２のＭ２Ｍ管理情報データベース４１２には、Ｍ２Ｍ端末１００が無線通信システム１０７へ未接続のため、ＮＵＬＬが設定されている。
図１０（ｂ）の呼処理制御装置１０２の基地局情報データベース４１３には、基地局Ａ１０１−１のセル識別子としてＣｅｌｌ１が、基地局Ｂ１０１−２のセル識別子としてＣｅｌｌ２が、基地局Ｃ１０１−３のセル識別子としてＣｅｌｌ３が設定されている。
図１０（ｃ）の呼処理制御装置１０２のシグナリング通信用セッション識別子データベース４１４には、Ｍ２Ｍ端末１００が無線通信システム１０７へ未接続のため、基地局１０１向けシグナリング通信用セッション識別子としてＮＵＬＬが、ゲートウェイ１０３向けシグナリング通信用セッション識別子としてＮＵＬＬが設定されている。
図１０（ｄ）の呼処理制御装置１０２のグループ化単位情報データベース４１５には、ＯＡＭ装置１０５からグループ化単位情報を設定されていないため、サービス識別子単位でグループ化の欄にはＯＦＦが、事業者識別子単位でグループ化の欄にはＯＦＦが、国番号単位でグループ化の欄にはＯＦＦが、方式識別子単位でグループ化の欄にはＯＦＦが、接続先サーバＩＰアドレス単位でグループ化の欄にはＯＦＦが、セル識別子でグループ化の欄にはＯＦＦが設定されている。
【００１９】
図１１は、ゲートウェイ１０３のデータベースを示す。
図１１（ａ）は、ゲートウェイ１０３のＭ２Ｍ管理情報データベース５１２を示す。ゲートウェイ１０３のＭ２Ｍ管理情報データベース５１２は、Ｍ２Ｍ端末１００のＭ２Ｍ管理情報が、Ｍ２Ｍ端末１００毎に記憶される。
図１１（ｂ）は、ゲートウェイ１０３のシグナリング通信用セッション情報データベース５１３を示す。ゲートウェイ１０３のシグナリング通信用セッション情報データベース５１３は、シグナリング通信用セッション識別子を記憶する。
図１１（ｃ）は、ゲートウェイ１０３のデータ通信用セッション情報データベース５１４を示す。ゲートウェイ１０３のデータ通信用セッション情報データベース５１４は、データ通信用セッション識別子を記憶する。
図１１（ｄ）は、ゲートウェイ１０３のグループ化単位情報データベース５１５を示す。グループ化単位情報データベース５１５については、図９−２（ｊ）−（ｌ）に示す基地局のグループ化単位情報データベース３１５と同様である。
初期状態の例として、図１１（ａ）のゲートウェイ１０３のＭ２Ｍ管理情報データベース５１２には、Ｍ２Ｍ端末１００が無線通信システム１０７へ未接続のため、ＮＵＬＬが設定されている。
図１１（ｂ）のゲートウェイ１０３のシグナリング通信用セッション情報データベース５１３には、Ｍ２Ｍ端末１００が無線通信システム１０７へ未接続のため、シグナリング通信用セッション識別子としてＮＵＬＬが設定されている。
図１１（ｃ）のゲートウェイ１０３のデータ通信用セッション情報データベース５１４には、Ｍ２Ｍ端末１００が無線通信システム１０７へ未接続のため、データ通信用セッション識別子としてＮＵＬＬが設定されている。
図１１（ｄ）のゲートウェイ１０３のグループ化単位情報データベース５１５には、ＯＡＭ装置１０５からグループ化単位情報を設定されていないため、サービス識別子単位でグループ化の欄にはＯＦＦが、事業者識別子単位でグループ化の欄にはＯＦＦが、国番号単位でグループ化の欄にはＯＦＦが、方式識別子単位でグループ化の欄にはＯＦＦが、接続先サーバＩＰアドレス単位でグループ化の欄にはＯＦＦが、セル識別子でグループ化の欄にはＯＦＦが設定されている。
図７−１、図７−２を参照して、本実施の形態の動作を説明する。
図７−１において、ＯＡＭ装置１０５は、基地局Ａ１０１−１と基地局Ｂ１０１−２と基地局Ｃ１０１−３と呼処理制御装置１０２とゲートウェイ１０３にＭ２Ｍ端末向けのグループ化単位情報を送信する（ステップ７０１）。ＯＡＭ装置１０５は、Ｍ２Ｍ端末向けのグループ化単位情報として例えばサービス識別子単位でグループ化する指示を基地局Ａ１０１−１と基地局Ｂ１０１−２と基地局Ｃ１０１−３と呼処理制御装置１０２とゲートウェイ１０３に送信する。ＯＡＭ装置１０５からサービス識別子単位でグループ化する指示を受信した基地局Ａ１０１−１と基地局Ｂ１０１−２と基地局Ｃ１０１−３と呼処理制御装置１０２とゲートウェイ１０３は、グループ化単位情報データベースの該当するグループ化単位候補の選択情報を、図１２（ａ）と図１２（ｂ）と図１２（ｃ）のように更新する。グループ化単位情報としてサービス識別子以外を用いる場合も同様である。
Ｍ２Ｍ端末Ａ１００−１は、基地局Ａ１０１−１を介して呼処理制御装置１０２とゲートウェイ１０３に無線通信サービス開始要求を送信する（ステップ７０２）。無線通信サービス開始要求では、図８（ａ）に示すＭ２Ｍ端末Ａ１００−１のＭ２Ｍ管理情報データベース２１２に含まれるＭ２Ｍ管理情報を付加して送信する。基地局Ａ１０１−１と呼処理制御装置１０２とゲートウェイ１０３は、Ｍ２Ｍ端末Ａ１００−１の管理情報として、基地局Ａ１０１−１のＭ２Ｍ管理情報データベース３１６と呼処理制御装置１０２のＭ２Ｍ管理情報データベース４１２とゲートウェイ４１３のＭ２Ｍ管理情報データベース５１２とを、受信したＭ２Ｍ管理情報に従い、図１３（ａ）と図１３（ｂ）と図１３（ｃ）に示す内容に設定する。
【００２０】
Ｍ２Ｍ端末Ａ１００−１から無線通信サービス開始要求を受信した基地局Ａ１０１−１と呼処理制御装置１０２とゲートウェイ１０３は、図８（ａ）のＭ２Ｍ端末識別子を受信することで、無線通信サービス開始要求を送信してきた無線端末が通常の携帯電話ではなくＭ２Ｍ端末１００であることを検出する（ステップ７０３）。
基地局Ａ１０１−１と呼処理制御装置１０２とゲートウェイ１０３は、Ｍ２Ｍ端末Ａ１００−１をグループ化するか否かを決定するために、基地局Ａ１０１−１のグループ化単位情報データベース３１５と呼処理制御装置１０２のグループ化単位情報データベース４１５とゲートウェイ１０３のグループ化単位情報データベース５１５を参照する。基地局Ａ１０１−１のグループ化単位情報データベース３１５と呼処理制御装置１０２のグループ化単位情報データベース４１５とゲートウェイ１０３のグループ化単位情報データベース５１５には、図１２（ａ）と図１２（ｂ）と図１２（ｃ）に示すようにステップ７０１でＯＡＭ装置１０５から指示されたサービス識別子単位でグループ化する指示がＯＮに設定されている。そのため、基地局Ａ１０１−１と呼処理制御装置１０２とゲートウェイ１０３は、図１３（ａ）と図１３（ｂ）と図１３（ｃ）に示すＭ２Ｍ端末Ａ１００−１のサービス識別子ａｂｃ．ｎｅｔが他のＭ２Ｍ端末１００でも利用されているかどうかを確認する。例えば、各装置のＭ２Ｍ管理情報データベースを参照して確認する。ここでは、他のＭ２Ｍ端末１００に関する管理情報が記憶されてなく、サービス識別子ａｂｃ．ｎｅｔは、Ｍ２Ｍ端末Ａ１００−１でのみ利用されているため、基地局Ａ１０１−１と呼処理制御装置１０２とゲートウェイ１０３はＭ２Ｍ端末１００のグループ化処理を行わない。
基地局Ａ１０１−１と呼処理制御装置１０２とゲートウェイ１０３は、Ｍ２Ｍ端末Ａ１００−１に無線通信サービス開始許可を送信する（ステップ７０４）。基地局Ａ１０１−１と呼処理制御装置１０２とゲートウェイ１０３は、Ｍ２Ｍ端末Ａ１００−１がシグナリング通信を行うための識別子として、図１４（ａ）と図１４（ｂ）と図１４（ｃ）に示すシグナリング用セッション識別子を割り当てる。また、基地局Ａ１０１−１とゲートウェイ１０３は、Ｍ２Ｍ端末Ａ１００−１がサーバ１０４とデータ通信を行うための識別子として、図１５（ａ）と図１５（ｂ）に示すデータ通信用セッション識別子を割り当てる。
基地局Ａ１０１−１と呼処理制御装置１０２とゲートウェイ１０３がシグナリングメッセージを送受信する場合、送信シグナリングメッセージには対向ノードから受信したシグナリング通信用セッション識別子を付加し、対向ノードから受信したシグナリングメッセージには自ノードが割り当てたシグナリング通信用セッション識別子が付加されていることを確認する。以降、Ｍ２Ｍ端末Ａ１００−１によるシグナリング通信とデータ通信において、シグナリング通信用セッション識別子とデータ通信用セッション識別子をノード間でどのように受け渡すのかついて説明する。
【００２１】
ステップ７０２において、基地局Ａ１０１−１は、Ｍ２Ｍ端末Ａ１００−１から送信されるシグナリングメッセージを受信後、呼処理制御装置１０２に対してＭ２Ｍ端末Ａ１００−１から発信されたシグナリングメッセージであることを示すために図１４（ａ）に示すＣＰｌａｎｅ＿ＣＡＬＬｔｏＢＳａと、Ｍ２Ｍ端末Ａ１００−１から発信されたデータパケットであることを示すために図１５（ａ）に示すＵＰｌａｎｅ＿ＧＷｔｏＢＳａとをシグナリングに付加して送信する。ステップ７０２の段階では、基地局Ａ１０１−１は、呼処理制御装置１０２からＭ２Ｍ端末Ａ１００−１に関するシグナリング通信用セッション識別子とゲートウェイ１０３からデータ通信用セッション識別子とを受信していないため、呼処理制御装置１０２のシグナリング通信用セッション識別子とゲートウェイ１０３のデータ通信用セッション識別子は保持していない。呼処理制御装置１０２は、基地局Ａ１０１−１から送信されるＣＰｌａｎｅ＿ＣＡＬＬｔｏＢＳａの情報とＵＰｌａｎｅ＿ＧＷｔｏＢＳａとが付加されたシグナリングを受信後、ゲートウェイ１０３に対してＭ２Ｍ端末Ａ１００−１から発信されたシグナリングであることを示すために図１４（ｂ）に示すＣＰｌａｎｅ＿ＧＷｔｏＣＡＬＬａとＵＰｌａｎｅ＿ＧＷｔｏＢＳａをシグナリングに付加して送信する。ステップ７０２の段階では、呼処理制御装置１０２は、ゲートウェイ１０３からＭ２Ｍ端末Ａ１００−１に関するシグナリング通信用セッション識別子とデータ通信用セッション識別子とを受信していないため、ゲートウェイ１０３のシグナリング通信用セッション識別子とデータ通信用セッション識別子は保持していない。ゲートウェイ１０３は、呼処理制御装置１０２から送信されるＣＰｌａｎｅ＿ＧＷｔｏＣＡＬＬａとＵＰｌａｎｅ＿ＧＷｔｏＢＳａが付加されたシグナリングメッセージを受信後、呼処理制御装置１０２に対して呼処理制御装置１０２から受信したシグナリングメッセージに対する応答であることを示すために、呼処理制御装置１０２から受信したＣＰｌａｎｅ＿ＧＷｔｏＣＡＬＬａと、図１４（ｃ）に示すＣＰｌａｎｅ＿ＣＡＬＬｔｏＧＷａと、Ｍ２Ｍ端末Ａ１００−１向けのデータパケットであることを示すために図１５（ｂ）に示すＵＰｌａｎｅ＿ＢＳｔｏＧＷａを付加して応答する。呼処理制御装置１０２は、ゲートウェイ１０３から送信されるシグナリングメッセージを受信後、基地局Ａ１０１−１から受信したシグナリングメッセージに対する応答であることを示すためにＣＰｌａｎｅ＿ＣＡＬＬｔｏＢＳａと、図１４（ｂ）に示すＣＰｌａｎｅ＿ＢＳｔｏＣＡＬＬａと、ＵＰｌａｎｅ＿ＢＳｔｏＧＷａを設定して応答する。
【００２２】
以上、ステップ７０２とステップ７０３によって対向装置のシグナリング通信用セッション識別子とデータ通信用セッション識別子を入手する。以降のシグナリング通信では、基地局Ａ１０１−１から呼処理制御装置１０２の上り方向においてはＣＰｌａｎｅ＿ＢＳｔｏＣＡＬＬａを、呼処理制御装置１０２から基地局Ａ１０１−１への下り方向においてはとＣＰｌａｎｅ＿ＣＡＬＬｔｏＢＳａを使用する（ステップ７０５）。呼処理制御装置１０２からゲートウェイ１０３への上り方向においてはＣＰｌａｎｅ＿ＣＡＬＬｔｏＧＷａを、ゲートウェイ１０３から呼処理制御装置１０２への下り方向へはＣＰｌａｎｅ＿ＧＷｔｏＣＡＬＬａ使用する（ステップ７０６）。また、以降のデータ通信では、基地局Ａ１０１−１からゲートウェイ１０３への上り方向においてはＵＰｌａｎｅ＿ＢＳｔｏＧＷａ
を、ゲートウェイ１０３から基地局Ａ１０１−１への下り方向においてはＵＰｌａｎｅ＿ＧＷｔｏＢＳａとを使用する（ステップ７０７）。
次に、Ｍ２Ｍ端末Ｂ１００−２は、基地局Ｂ１０１−２を介して呼処理制御装置１０２とゲートウェイ１０３に無線通信サービス開始要求を送信する場合の処理を説明する（ステップ７０８）。無線通信サービス開始要求では、Ｍ２Ｍ端末Ｂ１００−２は、図８（ｂ）に示すＭ２Ｍ端末Ｂ１００−２のＭ２Ｍ管理情報データベース２１２に含まれるＭ２Ｍ管理情報を付加して送信する。基地局Ｂ１０１−２と呼処理制御装置１０２とゲートウェイ１０３は、Ｍ２Ｍ端末Ｂ１００−２がシグナリング通信を行うための識別子として、図１７（ａ）と図１７（ｂ）と図１７（ｃ）に示すシグナリング用セッション識別子を割り当てる。
Ｍ２Ｍ端末Ｂ１００−２から無線通信サービス開始要求を受信した基地局Ｂ１０１−２と呼処理制御装置１０２とゲートウェイ１０３は、図８（ｂ）のＭ２Ｍ端末識別子を受信し、無線通信サービス開始要求を送信した無線端末が通常の携帯電話ではなくＭ２Ｍ端末１００であることを検出する（ステップ７０９）。
基地局Ｂ１０１−２と呼処理制御装置１０２とゲートウェイ１０３は、Ｍ２Ｍ端末Ｂ１００−２をグループ化するか否かを確認するために、基地局Ｂ１０１−２のグループ化単位情報データベース３１５と、呼処理制御装置１０２のグループ化単位情報データベース４１５とゲートウェイ１０３のグループ化単位情報データベース５１５を参照する（ステップ７１０）。基地局Ｂ１０１−２のグループ化単位情報データベース３１５と呼処理制御装置１０２のグループ化単位情報データベース４１５とゲートウェイ１０３のグループ化単位情報データベース５１５には、図１２（ａ）と図１２（ｂ）と図１２（ｃ）に示すようにステップ７０１でＯＡＭ装置１０５から指示されたサービス識別子単位でグループ化する指示がＯＮに設定されているので、基地局Ｂ１０１−２と呼処理制御装置１０２とゲートウェイ１０３は、図１２（ａ）と図１２（ｂ）と図１２（ｃ）に示すＭ２Ｍ端末Ｂ１００−２のサービス識別子ａｂｃ．ｎｅｔが他のＭ２Ｍ端末１００でも利用されているかどうかを確認する。例えば、各装置のＭ２Ｍ端末管理情報データベースを参照して確認する。ここでは、サービス識別子ａｂｃ．ｎｅｔは、Ｍ２Ｍ端末Ａ１００−１に対しても記憶されており、ずなわちＭ２Ｍ端末Ａ１００−１でも利用されているため、基地局Ｂ１０１−２と呼処理制御装置１０２とゲートウェイ１０３はＭ２Ｍ端末Ａ１００−１とＭ２Ｍ端末Ｂ１００−２のグループ化処理を行うことを決定する（ステップ７１０）。
基地局Ｂ１０１−２と呼処理制御装置１０２とゲートウェイ１０３は、基地局Ｂ１０１−２を介してＭ２Ｍ端末Ｂ１００−２に無線通信サービス開始許可を送信する（ステップ７１０）。基地局Ｂ１０１−２と呼処理制御装置１０２とゲートウェイ１０３は、Ｍ２Ｍ端末Ｂ１００−２の管理情報としてＭ２Ｍ管理情報データベース４１２を図１６（ａ）と図１６（ｂ）と図１６（ｃ）に示す内容に設定する。
【００２３】
基地局Ｂ１０１−２と呼処理制御装置１０２とゲートウェイ１０３がシグナリングメッセージを送受信する場合、送信シグナリングメッセージには対向ノードから受信したシグナリング通信用セッション識別子を付加し、対向ノードから受信したシグナリングメッセージには自ノードが割り当てたシグナリング通信用セッション識別子が付加されていることを確認する。
以降、複数のＭ２Ｍ端末でのセッションの共有化と、Ｍ２Ｍ端末Ｂ１００−２によるシグナリング通信とデータ通信において、シグナリング通信用セッション識別子とデータ通信用セッション識別子をノード間でどのように受け渡すのかついて説明する。
ステップ７０８において、基地局Ｂ１０１−２は、Ｍ２Ｍ端末Ｂ１００−２から送信されるシグナリングメッセージを受信後、呼処理制御装置１０２に対してＭ２Ｍ端末Ｂ１００−２から発信されたシグナリングメッセージであることを示すために図１７（ａ）に示すＣＰｌａｎｅ＿ＣＡＬＬｔｏＢＳｂと、Ｍ２Ｍ端末Ａ１００−１から発信されたデータパケットであることを示すために図１８（ａ）に示すＵＰｌａｎｅ＿ＧＷｔｏＢＳｂとをシグナリングに付加して送信する。ステップ７０８の段階では、基地局Ｂ１０１−２は、呼処理制御装置１０２からＭ２Ｍ端末Ａ１００−１に関するシグナリング通信用セッション識別子とゲートウェイ１０３からデータ通信用セッション識別子とを受信していないため、呼処理制御装置１０２のシグナリング通信用セッション識別子とゲートウェイ１０３のデータ通信用セッション識別子は保持していない。
呼処理制御装置１０２は、基地局Ｂ１０１−２から送信されるＣＰｌａｎｅ＿ＣＡＬＬｔｏＢＳｂとＵＰｌａｎｅ＿ＧＷｔｏＢＳｂとの情報が付加されたシグナリングを受信後、ステップ７１０でＭ２Ｍ端末Ａ１００−１とＭ２Ｍ端末Ｂ１００−２とをサービス識別子単位でグループ化すると決定したため、基地局向けシグナリング用セッション識別子とゲートウェイ向けシグナリングセッション識別子とをＭ２Ｍ端末Ｂ１００−２のために新規に割り振らずにＭ２Ｍ端末Ａ１００−１で使用されていたシグナリング用セッション識別子を利用する（図１７（ｂ））。
【００２４】
呼処理制御装置１０２は、基地局Ｂ１０１−２から送信されるＣＰｌａｎｅ＿ＣＡＬＬｔｏＢＳｂの情報とＵＰｌａｎｅ＿ＧＷｔｏＢＳｂとが付加されたシグナリングを受信後、ゲートウェイ１０３に対してＭ２Ｍ端末Ｂ１００−２から発信されたシグナリングであることを示すために図１７（ｂ）に示すＣＰｌａｎｅ＿ＧＷｔｏＣＡＬＬａとＵＰｌａｎｅ＿ＧＷｔｏＢＳｂをシグナリングに付加して送信する。ステップ７０８の段階では、呼処理制御装置１０２は、ゲートウェイ１０３からＭ２Ｍ端末Ｂ１００−２に関するシグナリング通信用セッション識別子を受信していないため、ゲートウェイ１０３のシグナリング通信用セッション識別子は保持していない。
ゲートウェイ１０３は、呼処理制御装置１０２から送信されるＣＰｌａｎｅ＿ＧＷｔｏＣＡＬＬａとＵＰｌａｎｅ＿ＧＷｔｏＢＳｂが付加されたシグナリングメッセージを受信後、呼処理制御装置１０２に対して呼処理制御装置１０２から受信したシグナリングメッセージに対する応答であることを示すために、呼処理制御装置１０２から受信したＣＰｌａｎｅ＿ＧＷｔｏＣＡＬＬａと、図１７（ｃ）に示すＣＰｌａｎｅ＿ＣＡＬＬｔｏＧＷａと、Ｍ２Ｍ端末Ｂ１００−２向けのデータ通信であることを示すために図１８（ｂ）に示すＵＰｌａｎｅ＿ＢＳｔｏＧＷａを付加して応答する。呼処理制御装置１０２は、ゲートウェイ１０３から送信されるシグナリングメッセージを受信後、基地局Ｂ１０１−２から受信したシグナリングメッセージに対する応答であることを示すためにＣＰｌａｎｅ＿ＣＡＬＬｔｏＢＳｂとＵＰｌａｎｅ＿ＢＳｔｏＧＷａと、図１７（ｂ）に示すＣＰｌａｎｅ＿ＢＳｔｏＣＡＬＬａを設定して応答する。
【００２５】
以上、ステップ７０８とステップ７１０によって、各装置は対向装置のシグナリング通信用セッション識別子とデータ通信用セッション識別子を入手する。以降のシグナリング通信では、基地局Ｂ１０１−２から呼処理制御装置１０２への上り方向のシグナリング通信は、Ｍ２Ｍ端末Ａ１００−１とＭ２Ｍ端末Ｂ１００−２とで同じシグナリング通信用セッション識別子としてＣＰｌａｎｅ＿ＢＳｔｏＣＡＬＬａを使用し、セッションの共有化が可能となる。呼処理制御装置１０２から基地局Ａ１０１−１と基地局Ｂ１０１−２への下りシグナリング通信は、Ｍ２Ｍ端末Ａ１００−１とＭ２Ｍ端末Ｂ１００−２とで在圏する基地局が異なり、呼処理制御装置１０２からそれぞれ異なる基地局１０１へのシグナリング通信であるために、シグナリング通信用セッション識別子がＣＰｌａｎｅ＿ＣＡＬＬｔｏＢＳａとＣＰｌａｎｅ＿ＣＡＬＬｔｏＢＳｂとなりセッションの共有はできない。したがって、基地局Ｂ１０１−２と呼処理制御装置１０２間のシグナリング通信においては、Ｍ２Ｍ端末Ａ１００−１とＭ２Ｍ端末Ｂ１００−２のシグナリング通信用共通トンネル（上り）と見立てることができる（ステップ７１４）。同じサービス識別子ａｂｃ．ｎｅｔを持つ他のＭ２Ｍ端末１００が無線通信システム１０７に接続してきた場合、当該Ｍ２Ｍ端末１００のために、基地局Ａ１０１−２と基地局Ｂ１０１−２と呼処理制御装置１０２は、新たなシグナリング通信用セッション識別子を割り振らないため、シグナリング通信用セッション識別子数の節約が可能となる。
呼処理制御装置１０２とゲートウェイ１０３との上りと下り方向のシグナリング通信においては、Ｍ２Ｍ端末Ａ１００−１とＭ２Ｍ端末Ｂ１００−２とで同じシグナリング通信用セッション識別子として、それぞれ、ＣＰｌａｎｅ＿ＧＷｔｏＣＡＬＬａ、ＣＰｌａｎｅ＿ＣＡＬＬｔｏＧＷａを使用し、セッションの共有化が可能となる。したがって、呼処理制御装置１０２とゲートウェイ１０３との上りと下り方向のシグナリング通信においては、Ｍ２Ｍ端末Ａ１００−１とＭ２Ｍ端末Ｂ１００−２のシグナリング通信用共通トンネル（上り＆下り）と見立てることができる（ステップ７１５）。同じサービス識別子ａｂｃ．ｎｅｔを持つ他のＭ２Ｍ端末１００が無線通信システム１０７に接続してきた場合、当該Ｍ２Ｍ端末１００のために、呼処理制御装置１０２とゲートウェイ１０３間における下りおよび上り方向の新たなシグナリング通信用セッション識別子を割り振らないため、シグナリング通信用セッション識別子数の節約が可能となる。
【００２６】
基地局Ａ１０１−１と基地局Ｂ１０１−２からゲートウェイ１０３への上り方向のデータ通信は、Ｍ２Ｍ端末Ａ１００−１とＭ２Ｍ端末Ｂ１００−２との双方で同じデータ通信用セッション識別子としてＵＰｌａｎｅ＿ＢＳｔｏＧＷａを使用し、セッションの共有化が可能となる。ゲートウェイ１０３から基地局Ａ１０１−１と基地局Ｂ１０１−２への下り方向へのデータ通信は、Ｍ２Ｍ端末Ａ１００−１とＭ２Ｍ端末Ｂ１００−２とで在圏する基地局が異なるため、ゲートウェイ１０３において、それぞれ異なる基地局１０１からのデータ通信であることを示すために、データ通信用セッション識別子がＵＰｌａｎｅ＿ＧＷｔｏＢＳａとＵＰｌａｎｅ＿ＧＷｔｏＢＳｂとなりセッションの共有化はできない。したがって、基地局Ａ１０１−１と基地局Ｂ１０１−２とゲートウェイ１０３間のデータ通信においては、Ｍ２Ｍ端末Ａ１００−１とＭ２Ｍ端末Ｂ１００−２のデータ通信用共通トンネル（上り）と見立てることができる（ステップ７１６）。同じサービス識別子ａｂｃ．ｎｅｔを持つ他のＭ２Ｍ端末１００が無線通信システム１０７に接続してきた場合、基地局Ａ１０１−１と基地局Ｂ１０１−２とゲートウェイ１０３は、当該Ｍ２Ｍ端末１００のために新たなデータ通信用セッション識別子を割り振らないため、データ通信用セッション識別子数の節約が可能となる。
次に、グループ化単位であるサービス識別子が異なるＭ２Ｍ端末１００−３から、無線通信サービス開始要求を受信した場合について説明する。
まず、Ｍ２Ｍ端末Ｃ１００−３は、基地局Ｃ１０１−３を介して呼処理制御装置１０２とゲートウェイ１０３に無線通信サービス開始要求を送信する（ステップ７１７）。無線通信サービス開始要求では、図８（ｃ）に示すＭ２Ｍ端末Ｃ１００−３のＭ２Ｍ管理情報データベース２１２に含まれるＭ２Ｍ管理情報を付加して送信する。基地局Ｃ１０１−３と呼処理制御装置１０２とゲートウェイ１０３は、Ｍ２Ｍ端末Ｃ１００−３の管理情報として、基地局Ｃ１０１−３のＭ２Ｍ管理情報データベース３１６と呼処理制御装置１０２のＭ２Ｍ管理情報データベース４１２とゲートウェイ４１３のＭ２Ｍ管理情報データベース５１２とを、受信したＭ２Ｍ管理情報に従い、図１９−１（ａ）と図１９−１（ｂ）と図１９−２（ｃ）に示す内容に設定する。なお、図１９−２は、図１９−１との関連で便宜上（ｃ）から記載している。
Ｍ２Ｍ端末Ｃ１００−３から無線通信サービス開始要求を受信した基地局Ｃ１０１−３と呼処理制御装置１０２とゲートウェイ１０３は、図８（ｃ）のＭ２Ｍ端末識別子を受信し、無線通信サービス開始要求を送信してきた無線端末が通常の携帯電話ではなくＭ２Ｍ端末１００であることを検出する（ステップ７１８）。
【００２７】
基地局Ｃ１０１−３と呼処理制御装置１０２とゲートウェイ１０３は、Ｍ２Ｍ端末Ｃ１００−３をグループ化するか否かを決定するために、基地局Ｃ１０１−３のグループ化単位情報データベース３１５と呼処理制御装置１０２のグループ化単位情報データベース４１５とゲートウェイ１０３のグループ化単位情報データベース５１５を参照する。基地局Ｃ１０１−３のグループ化単位情報データベース３１５と呼処理制御装置１０２のグループ化単位情報データベース４１５とゲートウェイ１０３のグループ化単位情報データベース５１５には、図１２（ａ）と図１２（ｂ）と図１２（ｃ）に示すようにステップ７０１でＯＡＭ装置１０５から指示されたサービス識別子単位でグループ化する指示がＯＮに設定されているので、基地局Ｃ１０１−３と呼処理制御装置１０２とゲートウェイ１０３は、図１９−１（ａ）と図１９−１（ｂ）と図１９−２（ｃ）に示すＭ２Ｍ端末Ｃ１００−３のサービス識別子ｘｙｚ．ｎｅｔが他のＭ２Ｍ端末１００でも利用されているかどうかを確認する。サービス識別子ｘｙｚ．ｎｅｔは、Ｍ２Ｍ端末Ｃ１００−３でのみ利用されているため、基地局Ａ１０１−１と呼処理制御装置１０２とゲートウェイ１０３はＭ２Ｍ端末１００のグループ化処理を行わない。
基地局Ｃ１０１−３と呼処理制御装置１０２とゲートウェイ１０３は、Ｍ２Ｍ端末Ｃ１００−３に無線通信サービス開始許可を送信する（ステップ７２０）。基地局Ｃ１０１−３と呼処理制御装置１０２とゲートウェイ１０３は、Ｍ２Ｍ端末Ｃ１００−３がシグナリング通信を行うための識別子として、図２０（ａ）と図２０（ｂ）と図２０（ｃ）に示すシグナリング用セッション識別子を割り当てる。また、基地局Ｃ１０１−３とゲートウェイ１０３は、Ｍ２Ｍ端末Ｃ１００−Ｃがサーバ１０４とデータ通信を行うための識別子として、図２１（ａ）と図２１（ｂ）に示すデータ通信用セッション識別子を割り当てる。
基地局Ｃ１０１−３と呼処理制御装置１０２とゲートウェイ１０３がシグナリングメッセージを送受信する場合、送信シグナリングメッセージには対向ノードから受信したシグナリング通信用セッション識別子を付加し、対向ノードから受信したシグナリングメッセージには自ノードが割り当てたシグナリング通信用セッション識別子が付加されていることを確認する。以降、Ｍ２Ｍ端末Ｃ１００−３によるシグナリング通信とデータ通信において、シグナリング通信用セッション識別子とデータ通信用セッション識別子をノード間でどのように受け渡すのかついて説明する。
【００２８】
ステップ７１７において、基地局Ｃ１０１−３は、Ｍ２Ｍ端末Ｃ１００−３から送信されるシグナリングメッセージを受信後、呼処理制御装置１０２に対してＭ２Ｍ端末Ｃ１００−３から発信されたシグナリングメッセージであることを示すために図２０（ａ）に示すＣＰｌａｎｅ＿ＣＡＬＬｔｏＢＳｃと、Ｍ２Ｍ端末Ｃ１００−３から発信されたデータパケットであることを示すために図２１（ａ）に示すＵＰｌａｎｅ＿ＧＷｔｏＢＳｃとをシグナリングに付加して送信する。ステップ７１７の段階では、基地局Ｃ１０１−３は、呼処理制御装置１０２からＭ２Ｍ端末Ｃ１００−３に関するシグナリング通信用セッション識別子とゲートウェイ１０３からデータ通信用セッション識別子とを受信していないため、呼処理制御装置１０２のシグナリング通信用セッション識別子とゲートウェイ１０３のデータ通信用セッション識別子は保持していない。呼処理制御装置１０２は、基地局Ｃ１０１−３から送信されるＣＰｌａｎｅ＿ＣＡＬＬｔｏＢＳｃの情報とＵＰｌａｎｅ＿ＧＷｔｏＢＳｃとが付加されたシグナリングを受信後、ゲートウェイ１０３に対してＭ２Ｍ端末Ｃ１００−３から発信されたシグナリングであることを示すために図２０（ｂ）に示すＣＰｌａｎｅ＿ＧＷｔｏＣＡＬＬｃとＵＰｌａｎｅ＿ＧＷｔｏＢＳｃをシグナリングに付加して送信する。ステップ７１７の段階では、呼処理制御装置１０２は、ゲートウェイ１０３からＭ２Ｍ端末Ｃ１００−３に関するシグナリング通信用セッション識別子を受信していないため、呼処理制御装置１０２のシグナリング通信用セッション識別子は保持していない。ゲートウェイ１０３は、呼処理制御装置１０２から送信されるＣＰｌａｎｅ＿ＧＷｔｏＣＡＬＬｃとＵＰｌａｎｅ＿ＧＷｔｏＢＳｃが付加されたシグナリングメッセージを受信後、呼処理制御装置１０２に対して呼処理制御装置１０２から受信したシグナリングメッセージに対する応答であることを示すために、呼処理制御装置１０２から受信したＣＰｌａｎｅ＿ＧＷｔｏＣＡＬＬｃと、図２０（ｃ）に示すＣＰｌａｎｅ＿ＣＡＬＬｔｏＧＷｃと、Ｍ２Ｍ端末Ｃ１００−３向けのデータパケットであることを示すために図２１（ｂ）に示すＵＰｌａｎｅ＿ＢＳｔｏＧＷｃを付加して応答する。呼処理制御装置１０２は、ゲートウェイ１０３から送信されるシグナリングメッセージを受信後、基地局Ｃ１０１−３から受信したシグナリングメッセージに対する応答であることを示すためにＣＰｌａｎｅ＿ＣＡＬＬｔｏＢＳｃと、図２０（ｂ）に示すＣＰｌａｎｅ＿ＢＳｔｏＣＡＬＬｃと、ＵＰｌａｎｅ＿ＢＳｔｏＧＷｃを設定して応答する。
以上、ステップ７１７とステップ７２０によって対向装置のシグナリング通信用セッション識別子とデータ通信用セッション識別子を入手する。以降のシグナリング通信では、基地局Ｃ１０１−３から呼処理制御装置１０２の上り方向においてはＣＰｌａｎｅ＿ＢＳｔｏＣＡＬＬｃを、呼処理制御装置１０２から基地局Ｃ１０１−３への下り方向においてはとＣＰｌａｎｅ＿ＣＡＬＬｔｏＢＳｃを使用する（ステップ７２１）。呼処理制御装置１０２からゲートウェイ１０３への上り方向においてはＣＰｌａｎｅ＿ＣＡＬＬｔｏＧＷｃを、ゲートウェイ１０３から呼処理制御装置１０２への下り方向へはＣＰｌａｎｅ＿ＧＷｔｏＣＡＬＬｃ使用する（ステップ７２２）。また、以降のデータ通信では、基地局Ｃ１０１−３からゲートウェイ１０３への上り方向においてはＵＰｌａｎｅ＿ＢＳｔｏＧＷｃ
を、ゲートウェイ１０３から基地局Ｃ１０１−３への下り方向においてはＵＰｌａｎｅ＿ＧＷｔｏＢＳｃとを使用する（ステップ７２３）。
【００２９】
次に、Ｍ２Ｍ端末からのデータ送信とスケジューリングについて説明する。
図７−２において、Ｍ２Ｍ端末Ａ１００−１とＭ２Ｍ端末Ｂ１００−２とＭ２Ｍ端末Ｃ１００−３は、サーバ１０４に対してデータ通信およびシグナリング通信を開始する（ステップ７２４、ステップ７２５、ステップ７２６）。
図２２に各端末のスケジュール情報データベース２１３の例を示す。スケジュール情報データベース２１３は、端末がサーバへのデータ通信およびシグナリング通信を開始するタイミングを記憶する。
ここでは一例として、Ｍ２Ｍ端末Ａ１００−１とＭ２Ｍ端末Ｂ１００−２とＭ２Ｍ端末Ｃ１００−３は、図２２（ａ）と図２２（ｂ）と図２２（ｃ）とに示すように、スケジュール情報データベース２１３に初期状態として、それぞれ秒針が“：００”のときに通信開始、と設定されているとする。従って、ステップ７２４、ステップ７２５、ステップ７２６では、Ｍ２Ｍ端末Ａ１００−１とＭ２Ｍ端末Ｂ１００−２とＭ２Ｍ端末Ｃ１００−３は、秒針が“：００”のときに同時にデータ通信を開始する。  Ｍ２Ｍ端末Ａ１００−１とＭ２Ｍ端末Ｂ１００−２とＭ２Ｍ端末Ｃ１００−３から一斉に多量のシグナリングやデータパケットが送信されるとシグナリングのコリジョンやデータ通信における輻輳が発生し、正常にシグナリング通信やデータ通信ができなくなる場合がある。正常にシグナリング通信やデータ通信ができなくなることを防ぐために、Ｍ２Ｍ端末Ａ１００−１とＭ２Ｍ端末Ｂ１００−２とＭ２Ｍ端末Ｃ１００−３からデータパケットを受信したサーバ１０４は、Ｍ２Ｍ端末Ａ１００−１とＭ２Ｍ端末Ｂ１００−２とＭ２Ｍ端末Ｃ１００−３とに対して発信およびデータ通信を開始するタイミングを規定した図２３に示すスケジュール情報を送信する（ステップ７２７、ステップ７２８）。サーバ１０４は、同じグループに所属する複数のＭ２Ｍ端末１００がどの順番でいつシグナリング通信とデータ通信を行うのかのスケジュール情報をスケジューリングサーバ１０６から入手する。
スケジューリングサーバ１０６は、例えば、セッションを共通するＭ２Ｍ端末１００について、通信開始のタイミングがずれるように各端末の通信開始のタイミングをスケジューリングする。セッションを共通する端末１００は、例えば、上述のステップ７０９−２において、基地局１０１、呼処理制御装置１０２およびゲートウェイ１０３のいずれかが、グループ化すると判断したＭ２Ｍ端末１００の識別情報をスケジューリングサーバ１０４に送信することにより、スケジューリングサーバ１０４で識別できる。これ以外に適宜の方法で、グループ化すると判断したＭ２Ｍ端末１００の識別情報をスケジューリングサーバ１０４に送信してもよい。セッションを共通するＭ２Ｍ端末１００について、通信開始のタイミングがずれるようにすることにより、同じセッション内での通信の衝突を回避できる。
【００３０】
また、スケジューリングサーバ１０６は、セッションを共通するＭ２Ｍ端末１００に限らず、他のＭ２Ｍ端末１００についても、通信開始のタイミングがずれるように各端末の通信開始のタイミングをスケジューリングしてもよい。これにより、無線通信システム内で同時刻にシグナリング通信やデータ通信が発生することを回避できる。
図２３に、サーバ１０４のスケジュール情報データベース６１２を示す。スケジューリングサーバ１０６がスケジューリングし、サーバ１０４に通知した情報が記憶される。図２３に示すサーバ１０４のスケジュール情報データベース６１２には、Ｍ２Ｍ端末Ａ１００−１とＭ２Ｍ端末Ｂ１００−２とＭ２Ｍ端末Ｃ１００−３とのスケジュール情報として、それぞれ秒針が“：００”のときに通信開始、秒針が“：０５”のときに通信開始、秒針が“：１０”のときに通信開始、秒針が“：１５”のときに通信開始と設定されている。なお、ここではすべてのＭ２Ｍ端末について設定されているが、セッションが共有化されている単位で管理されてもよい。サーバ１０４は、Ｍ２Ｍ端末Ａ１００−１とＭ２Ｍ端末Ｂ１００−２とＭ２Ｍ端末Ｃ１００−３とのスケジュール情報を、ゲートウェイ１０３に送信する（ステップ７２７、７２８）。スケジュール情報を受信したゲートウェイ１０３は、Ｍ２Ｍ端末Ａ１００−１とＭ２Ｍ端末Ｂ１００−２とＭ２Ｍ端末Ｃ１００−３にスケジュール情報を送信する。なお、図７−２に示すように、セッションが共有化されている単位で送信されてもよい。Ｍ２Ｍ端末Ａ１００−１とＭ２Ｍ端末Ｂ１００−２についてはデータ通信用共有トンネルを介して送信される。
図２４（ａ）と図２４（ｂ）と図２４（ｃ）は、サーバ１０４からスケジュール情報を受信した後のＭ２Ｍ端末Ａ１００−１とＭ２Ｍ端末Ｂ１００−２とＭ２Ｍ端末Ｃ１００−３のスケジュール情報データベース２１３を示した図である。Ｍ２Ｍ端末は、受信されたスケジュール情報に従い、スケジュール情報データベース２１３を更新する。図２４（ａ）と図２４（ｂ）と図２４（ｃ）には、それぞれ秒針が“：００”のときに通信開始、秒針が“：０５”のときに通信開始、秒針が“：１０”のときに通信開始と更新され、データ通信のための発信処理やデータ通信の開始タイミングをずらすことができる。Ｍ２Ｍ端末Ａ１００−１とＭ２Ｍ端末Ｂ１００−２は、Ｍ２Ｍ端末Ａ１００−１とＭ２Ｍ端末Ｂ１００−２のデータ通信用共通トンネル（ステップ７１６）を、それぞれ異なる時間帯に使用するため、一度に多量のデータパケットが送信されることが無くなる。同じサービス識別子ａｂｃ．ｎｅｔを持つ他のＭ２Ｍ端末１００が例えば基地局Ｃ１０１−３から無線通信システム１０７に接続してきた場合、当該Ｍ２Ｍ端末１００のために、基地局Ｃ１０１−３と呼処理制御装置１０２とゲートウェイ１０３は新たなシグナリング通信用セッション識別子とデータ通信用識別子を割り振らないため、シグナリング通信用セッション識別子数とデータ通信用識別子数の節約が可能となる。
なお、グループ化単位（例えばセッション識別子）に対してひとつのセッション識別子で共有する以外にも、複数のセッション識別子で共有してもよい。例えば、ひとつのセッション識別子で共有するＭ２Ｍ端末の数が予め定められてもよい。
サーバ１０４に設定されるスケジュール情報をＭ２Ｍ端末１００が保持する時計の秒針が任意の時間を示した場合に通信を開始すると説明したが、秒針で無くとも日時指定や、Ｍ２Ｍ端末１００とサーバ１０４とのＰｉｎｇ応答時間に遅延がない場合にデータ通信のための発信処理やデータ通信の開始タイミングを設定してもよい。
本実施の形態では、サービス識別子でＭ２Ｍ端末１００をグループ化する場合について説明したが、事業者識別子と国番号と方式識別子と接続先ＩＰアドレスとセル識別子であっても同様に複数のＭ２Ｍ端末１００をグループ化することが可能である。
本実施の形態によると、呼処理制御装置とゲートウェイが、シグナリング通信用セッション識別子とデータ通信用セッション識別子とを複数のＭ２Ｍ端末からなるＭ２Ｍ端末グループで共有したことによって、呼処理制御装置やゲートウェイで管理するシグナリング通信用セッション識別子とデータ通信用セッション識別子の使用数を低減することができる。本実施の形態によると、基地局と呼処理制御装置とゲートウェイで管理するシグナリング通信用セッション識別子とデータ通信用セッション識別子の使用数を低減できるため、多数のＭ２Ｍ端末が無線通信ネットワークに接続しても、使用されるシグナリング通信用セッション数とデータ通信用セッション数は少量で運用できる。また、本実施の形態によると、呼処理制御装置やゲートウェイで管理するシグナリング通信用セッション識別子とデータ通信用セッション識別子の使用数を低減したため、呼処理制御装置やゲートウェイにおける処理能力のピークを低減することができる。
【００３１】
インターネット網に位置するサーバが、発信およびデータ通信を開始するタイミングをＭ２Ｍ端末ごとにずらしたスケジュール情報をＭ２Ｍ端末グループに送信したことによって、無線通信システムに対するトラヒックのピークを低減することができる。また、本実施の形態によると、Ｍ２Ｍ端末から送信されるシグナリング通信とデータ通信のタイミングを制御できるため、多数のＭ２Ｍ端末によるデータトラヒックのピークを低減することができる。
そのため、無線通信システムを使用している通常の携帯電話ユーザへの影響を少なくし、より多くのＭ２Ｍ端末を無線通信システムに接続することができる。
【産業上の利用可能性】
【００３２】
本発明は、例えば、Ｍ２Ｍ端末などの無線端末と通信する無線通信システムに利用可能である。
【符号の説明】
【００３３】
１００…Ｍ２Ｍ端末、１０１…基地局、１０２…呼処理制御装置、１０３…ゲートウェイ、１０４…サーバ、１０５…ＯＡＭ装置、１０６…スケジューリングサーバ、１０７…無線通信システム
２００…アンテナ、２０１…無線アナログ部、２０２…デジタル信号処理部、２０３…呼処理部、２１０…プロセッサ、２１１…プログラム格納メモリ、２１２…Ｍ２Ｍ管理情報データベース、２１３…スケジュール情報データベース
３００…受信アンテナ、３０１…無線アナログ部、３０２…デジタル信号処理部、３０３…回線インタフェース部、３０４…呼処理部、３１０…プロセッサ、３１１…プログラム格納メモリ、３１２…基地局情報データベース、３１３…シグナリング通信用セッション識別子データベース、３１４…データ通信用セッション識別子データベース、３１５…グループ化単位情報データベース、３１６…Ｍ２Ｍ管理情報データベース
４００…回線インタフェース、４０１…呼処理部、４１０…プロセッサ、４１１…プログラム格納メモリ、４１２…Ｍ２Ｍ管理情報データベース、４１３…基地局情報データベース、４１４…シグナリング通信用セッション識別子データベース、４１５…グループ化単位情報データベース
５００…回線インタフェース、５０１…呼処理部、５１０…プロセッサ、５１１…プログラム格納メモリ、５１２…Ｍ２Ｍ管理情報データベース、５１３…シグナリング通信用セッション識別子データベース、５１４…データ通信用セッション識別子データベース、５１５…グループ化単位情報データベース
【図１】
0005562317.tif 000002
【図２】
0005562317.tif 000003
【図３】
0005562317.tif 000004
【図４】
0005562317.tif 000005
【図５】
0005562317.tif 000006
【図６】
0005562317.tif 000007
【図７−１】
0005562317.tif 000008
【図７−２】
0005562317.tif 000009
【図８】
0005562317.tif 000010
【図９−１】
0005562317.tif 000011
【図９−２】
0005562317.tif 000012
【図１０】
0005562317.tif 000013
【図１１】
0005562317.tif 000014
【図１２】
0005562317.tif 000015
【図１３】
0005562317.tif 000016
【図１４】
0005562317.tif 000017
【図１５】
0005562317.tif 000018
【図１６】
0005562317.tif 000019
【図１７】
0005562317.tif 000020
【図１８】
0005562317.tif 000021
【図１９−１】
0005562317.tif 000022
【図１９−２】
0005562317.tif 000023
【図２０】
0005562317.tif 000024
【図２１】
0005562317.tif 000025
【図２２】
0005562317.tif 000026
【図２３】
0005562317.tif 000027
【図２４】
0005562317.tif 000028